(57)【要約】【課題】不使用時には物干し部を上げ、天井に設けられた収納部に見栄えよく収納できるとともに、室内で簡単に物干しができる天井物干し装置を提供する。【解決手段】天井に取付けられ、物干し部と昇降手段と操作ひもとを有する物干し装置であって、該物干し部９は昇降手段によって昇降し、物干し部９の不使用時には天井Ｓに上昇して収納され、使用時には下降するとともに、該操作ひも６１、６２の下端には把持部１１、１２が設けられ、該把持部１１、１２は、物干し部９の不使用時には、ばねの弾性力により引張され天井Ｓに設けられた把持部収納凹部２１に収納される天井物干し装置。【選択図】図３
2008154698.tif 000002
【特許請求の範囲】
【請求項１】
天井に取付けられ、物干し部と昇降手段と操作ひもとを有する物干し装置であって、該物干し部は昇降手段によって昇降し、物干し部の不使用時には天井に上昇して収納され、使用時には下降するとともに、該操作ひもの下端には把持部が設けられ、該把持部は、物干し部の不使用時には、ばねの弾性力により引張され天井に設けられた把持部収納凹部に収納される天井物干し装置。
【請求項２】
上記把持部を除く物干し装置全体が、天井に取付けられた収納箱体に収納される請求項１に記載の天井物干し装置。
【請求項３】
上記把持部が誘導部とフック部とから構成される請求項１に記載の天井物干し装置。
【請求項４】
上記ばねがコンストンばねである請求項１に記載の天井物干し装置。
【発明の詳細な説明】
【技術分野】
【０００１】
本発明は、室内で洗濯物を干すときに用いる物干し装置に関する。さらに詳しくは、天井に取付けられ、ばねの弾性力を利用して物干し部を昇降させる天井物干し装置に関する。
【背景技術】
【０００２】
近年、一般家庭において、室内で物を干すときに用いる物干し装置が種々提案されている。例えば、下記特許文献１には、天井に天井裏に凹没するように収納部を設け、天井裏に配置した巻き上げ機構でワイヤを巻き取り、巻き戻し自在に巻き付けるとともに、ワイヤに物干し部材を吊り下げ、ワイヤの巻き取りドラムに対する巻き取りや巻き戻しにより物干し部材を収納部に収納したり、物干し部材を天井から下方に降下させ得るようにした昇降物干し装置が知られている。
【特許文献１】特開２００６−１０２３８４号公報（第１〜３頁、第１図、第２図）
【発明の開示】
【発明が解決しようとする課題】
【０００３】
しかしながら、上記特許文献１に記載の技術は、その第１図、第２図に示されるように、パンタグラフ状の伸縮アームを用い、突起状の部分が室内に出っ張って、危険であるという問題がある。また、構造が複雑であり、外観もよいものとはいえない。
【０００４】
本発明は、このような問題を解決して、不使用時には物干し部を上げ、天井に設けられた収納部に見栄えよく収納できるとともに、室内で簡単に物干しができる天井物干し装置を提供することを、その課題とする。
【課題を解決するための手段】
【０００５】
上記課題を解決するために、本発明においては、つぎのような技術的手段を講じている。すなわち、請求項１に記載の発明によれば、天井に取付けられ、物干し部と昇降手段と操作ひもとを有する物干し装置であって、該物干し部は昇降手段によって昇降し、物干し部の不使用時には天井に上昇して収納され、使用時には下降するとともに、該操作ひもの下端には把持部が設けられ、該把持部は、物干し部の不使用時には、ばねの弾性力により引張され天井に設けられた把持部収納凹部に収納される天井物干し装置が提供される。
【０００６】
請求項２に記載の天井物干し装置は、請求項１に記載の発明に加えて、上記把持部を除く物干し装置全体が、天井に取付けられた収納箱体に収納されることが好ましい。この収納箱体は、天井裏に凹没して設けられてもよい。
【０００７】
請求項３に記載の天井物干し装置は、請求項１に記載の発明に加えて、上記把持部が誘導部とフック部とから構成される。
【０００８】
請求項４に記載の天井物干し装置は、請求項１に記載の発明に加えて、上記ばねがコンストンばねとされる。
【発明の効果】
【０００９】
請求項１に記載の発明にかかる天井物干し装置は上記のとおりであり、物干し部の不使用時には天井に収納され、使用時には、操作ひもの下端に設けられた把持部を操作して下降させるとともに、該把持部を、物干し部の不使用時には、ばねの弾性力により引張して天井に設けられた把持部収納凹部に収納することにより、室内の空間を広く、有効に使える。また、雨天等の際には、把持部を操作するだけで物干し部が下降するため、室内で簡単に物干しをできるという利点がある。
【００１０】
請求項２に記載の天井物干し装置は上記のとおりであり、請求項１の天井物干し装置の有する効果に加え、上記把持部を除く物干し装置全体が、天井に取付けられた収納箱体に収納されるため、突出部が実質的になくなり、シンプルな外観とすることができる。
【００１１】
請求項３に記載の天井物干し装置は上記のとおりであり、請求項１の天井物干し装置の有する効果に加え、上記把持部が誘導部とフック部とから構成されるため、例えば、把持部の誘導部を三角屋根形とすることにより、上記収納箱体の下面に設けられた把持部収納凹部にスムースに嵌入させることができる。
【００１２】
請求項４に記載の天井物干し装置は上記のとおりであり、請求項１の天井物干し装置の有する効果に加え、上記ばねがコンストンばねであるため、中心点を固定して弦巻式に一定の長さの範囲内でばねが伸縮するため、通常は、ばね弾性によって引張される把持部を、ばねの弾性力により圧接して収納凹部に収納することができる。
【発明を実施するための最良の形態】
【００１３】
以下、本発明にかかる天井物干し装置の実施形態について図面を参照して詳細に説明する。図１、図２は、物干し部と昇降手段と操作ひもとからなる上記天井物干し装置の動作を模式的に示す説明図である。図１に示すように、昇降手段は左右２個のドラム３とこのドラム３にループ状に架けられたワイヤ４と上部コンストンばね５１、下部コンストンばね５２とを含んでなり、上部操作ひも６１は上部移動滑車７１を介して上部コンストンばね５１に接続され、下部操作ひも６２は下部移動滑車７２を介して下部コンストンばね５２に接続されている。
【００１４】
また、上部移動滑車７１は上部連結ひも８１によって上記ワイヤ４の上部固定点Ａで固定されるとともに、下部操作ひも６２は下部連結ひも８２によって上記ワイヤ４の下部固定点Ｂで固定される。さらに、上部操作ひも６１の下端には把持部１１が取付けられ、下部操作ひも６２の下端には把持部１２が取付けられている。
【００１５】
一方、上部固定点Ａからは固定滑車Ｃを介して吊り下げひも９１が、また、下部固定点Ｂからは固定滑車Ｄを介して吊り下げひも９２がそれぞれ、物干し棒９３を昇降自在に吊り下げ、このように、物干し部９は吊り下げひも９１、吊り下げひも９２と物干し棒９３とから構成される。符号Ｅおよび符号Ｆはそれぞれ、上部操作ひも６１および下部操作ひも６２の方向を変換するために設けられた方向転換滑車である。また、符号Ｓは天井を示す。
【００１６】
上記物干し棒９３を使用しないときは、上記把持部１１と把持部１２とは、固定された中心点から一定の長さのばね体が伸縮するコンストンばね５１とコンストンばね５２とによって、図１に示す天井Ｓに弾性的に圧接している。使用時には、図２に示すように、把持部１２を下方に引くと下部操作ひも６２は矢印に示す方向に移動し、各種操作ひも、連結ひも、固定滑車、移動滑車、ドラム等も矢印に示す方向に移動し、物干し棒９３は白抜き矢印で示すように下降して図２に示す状態となり、洗濯物を干すことができる。
【００１７】
この状態において、物干し棒９３は図示しないロック機構によりロックされて下降位置を保つが、把持部１２は下部コンストンばね５２の弾性収縮力により、引張されて天井Ｓに圧接する。一方、他の把持部１１を下方に引いても上記と同様に物干し棒９３を下降させることができるが、各種操作ひも、連結ひも、固定滑車、移動滑車、ドラム等の組み付け方法を変えて物干し部９３を上昇させるための把持部１１としてもよい。なお、下降した物干し棒９３を上昇させるためには、図２に示す動作を逆に行えばよいが、説明は省略する。
【００１８】
また、説明を容易にするため、図１、図２には本発明の天井物干し装置を上記した物干し部、昇降手段、固定滑車、移動滑車、操作ひも等に分解して示すが、通常、これらの構成部材はキットとしてまとめられ、天井に取付けられた収納箱体２に収められる。図３は上記収納箱体２を示す外観斜視図である。図３に示されるように、収納箱体２の下面には、把持部１１、把持部１２を収納するための把持部収納凹部２１がそれぞれ凹設され、物干し部９が上昇、下降するためのスリット２２が設けられている。
【００１９】
図３に示すように把持部１２は三角屋根形の誘導部１２１とフック部１２２とから構成され、フック部１２２にはフック孔１２３が穿たれている。同様に、把持部１１は三角屋根形の誘導部１１１とフック部１１２とから構成され、フック部１１２にはフック孔１１３が穿たれている。このフック孔１１３、フック孔１２３には、図示しないフック棒の先端に設けられたフックが引っ掛けられ、把持部１１、把持部１２が下降される。
【００２０】
図４は上記把持部１２と把持部収納凹部２１とを示す部分断面正面図である。図４に示されているように、収納箱体２の下面に設けられた把持部収納凹部２１にはテーパ面が設けられ、把持部１２の誘導部１２１がスムースに嵌入するようにされている。図５は、上記把持部１２と把持部収納凹部２１とを示す部分断面側面図である。
【００２１】
上記把持部１１、把持部１２は、収納箱体２に収められたコンストンばね５１、コンストンばね５２がそれぞれ、弾性収縮することによって引張され、把持部収納凹部２１に当接して収納される。図６は、上記、把持部１１、把持部１２が把持部収納凹部２１に収納された状態を示す収納箱体の外観斜視図である。図６に示されるように、誘導部１１１、誘導部１２１がぴったりと把持部収納凹部２１に収まるため、収納箱体２からは、フック部１１２およびフック孔１１３とフック部１２２およびフック孔１２３とが覗くだけであり、シンプルな外観とすることができる。また、図示しないフック棒のフックをフック孔１１３またはフック孔１２３に容易に引っ掛けることができる。
【００２２】
上記実施形態においては、把持部１１の誘導部１１１と、把持部１２の誘導部１２１とは三角屋根形とされているが、円錐形としてもよい。また、上記収納箱体の取付け方法は限定されるものではなく、例えば、天井裏に凹没するように設けてもよい。このように、本発明は種々設計変更自在であり、特許請求の範囲を逸脱しない限り、本発明の技術的範囲に属する。
【図面の簡単な説明】
【００２３】
【図１】本発明にかかる天井物干し装置の動作を模式的に示す説明図である。
【図２】本発明にかかる天井物干し装置の動作を模式的に示す説明図である。
【図３】収納箱体を示す外観斜視図である。
【図４】把持部と把持部収納凹部とを示す部分断面正面図である。
【図５】把持部と把持部収納凹部とを示す部分断面側面図である。
【図６】把持部が把持部収納凹部に収納された状態を示す収納箱体の外観斜視図である。
【符号の説明】
【００２４】
Ａ          上部固定点
Ｂ          下部固定点
Ｃ          固定滑車
Ｄ          固定滑車
Ｅ          方向転換滑車
Ｆ          方向転換滑車
Ｓ          天井
１１        把持部
１１１      誘導部
１１２      フック部
１１３      フック孔
１２        把持部
１２１      誘導部
１２２      フック部
１２３      フック孔
２          収納箱体
２１        把持部収納凹部
２２        スリット
３          ドラム
４          ワイヤ
５１        上部コンストンばね
５２        下部コンストンばね
６１        上部操作ひも
６２        下部操作ひも
７１        上部移動滑車
７２        下部移動滑車
８１        上部連結ひも
８２        下部連結ひも
９          物干し部
９１        吊り下げひも
９２        吊り下げひも
９３        物干し棒
【図１】
2008154698.tif 000003
【図２】
2008154698.tif 000004
【図３】
2008154698.tif 000005
【図４】
2008154698.tif 000006
【図５】
2008154698.tif 000007
【図６】
2008154698.tif 000008